【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
組織部位を処置するためのシステムにおいて、
腹腔内で展開するように構成されたドレッシングと、
前記ドレッシングに流体的に結合された陰圧源と、
前記ドレッシングに流体的に結合された流体源と、
を備えることを特徴とするシステム。
【請求項２】
請求項１に記載のシステムにおいて、前記陰圧源および前記ドレッシングに流体的に結合されかつ流体を収集するように適合された容器をさらに備えることを特徴とするシステム。
【請求項３】
請求項１に記載のシステムにおいて、前記陰圧源および前記流体源を前記ドレッシングに流体的に接続するように構成された接続インタフェースをさらに備えることを特徴とするシステム。
【請求項４】
請求項１に記載のシステムにおいて、前記ドレッシングが、
前記陰圧源と流体連通するように構成された第１の複数の流体チャネルと、
前記流体源と流体連通するように構成された第２の複数の流体チャネルと、
を備えることを特徴とするシステム。
【請求項５】
請求項４に記載のシステムにおいて、前記第１の複数の流体チャネルおよび前記第２の複数の流体チャネルが、前記ドレッシングの中心部分から半径方向に延在していることを特徴とするシステム。
【請求項６】
請求項１に記載のシステムにおいて、前記ドレッシングが、
第１の不透過性層および第２の不透過性層と、前記第１の不透過性層と前記第２の不透過性層との間の密閉された空間とを備えるドレッシング部材と、
前記空間内に形成されかつ前記陰圧源と流体連通するように構成された複数の流体除去経路と、
前記空間内に形成されかつ前記流体源と流体連通するように構成された複数の流体送達経路と、
を備えることを特徴とするシステム。
【請求項７】
請求項６に記載のシステムにおいて、前記複数の流体除去経路および前記複数の流体送達経路が、合わせて溶接される前記第１の不透過性層の一部と前記第２の不透過性層の一部との間に形成されていることを特徴とするシステム。
【請求項８】
請求項６に記載のシステムにおいて、前記複数の流体除去経路が、周辺端部における開口部と、前記流体除去経路の長さに沿った穿孔とを含むことを特徴とするシステム。
【請求項９】
請求項８に記載のシステムにおいて、前記流体除去経路の前記長さに沿った前記穿孔が、前記ドレッシング部材の前記第１の不透過性層におけるアパーチャによって形成されていることを特徴とするシステム。
【請求項１０】
請求項６に記載のシステムにおいて、前記複数の流体送達経路が周辺端部において開口部を備えることを特徴とするシステム。
【請求項１１】
請求項６に記載のシステムにおいて、前記複数の流体送達経路が、前記流体送達経路の長さに沿った穿孔を備えることを特徴とするシステム。
【請求項１２】
請求項１１に記載のシステムにおいて、前記流体送達経路の前記長さに沿った穿孔が、前記ドレッシング部材の前記第１の不透過性層におけるアパーチャによって形成されていることを特徴とするシステム。
【請求項１３】
請求項１に記載のシステムにおいて、前記流体源が手動流体ポンプを含むことを特徴とするシステム。
【請求項１４】
請求項１に記載のシステムにおいて、前記流体源が重力送り流体容器を含むことを特徴とするシステム。
【請求項１５】
請求項１に記載のシステムにおいて、陰圧源および前記流体源が治療ユニットの一部として収容されていることを特徴とするシステム。
【請求項１６】
組織部位を処置するためのドレッシングにおいて、
第１の保護層および第２の保護層を備えるドレッシング部材であって、前記第１の保護層および前記第２の保護層の各々の少なくとも一部が、前記第１の保護層と前記第２の保護層との間の密閉されたチャンバを提供するように接合されている、ドレッシング部材と、
前記第１の保護層および前記第２の保護層によって密閉された前記チャンバ内に形成された複数の流体除去経路と、
前記チャンバ内に密封された滴下マトリックスと、
を備えることを特徴とするドレッシング。
【請求項１７】
請求項１６に記載のドレッシングにおいて、前記複数の流体除去経路の各々がマニホールド部材を備えることを特徴とするドレッシング。
【請求項１８】
請求項１７に記載のドレッシングにおいて、前記マニホールド部材が連続気泡網状ポリウレタンフォームを備えることを特徴とするドレッシング。
【請求項１９】
請求項１８に記載のドレッシングにおいて、前記連続気泡網状ポリウレタンフォームが、５ｍｍ〜１５ｍｍの厚さを有することを特徴とするドレッシング。
【請求項２０】
請求項１６に記載のドレッシングにおいて、前記ドレッシング部材の中心領域に位置決めされかつ前記滴下マトリックスと流体連通しているハブをさらに備えることを特徴とするドレッシング。
【請求項２１】
請求項１６に記載のドレッシングにおいて、前記滴下マトリックスが複数の流体送達チューブを備えることを特徴とするドレッシング。
【請求項２２】
請求項２０に記載のドレッシングにおいて、
前記滴下マトリックスが複数の流体送達チューブを備え、
前記ハブが、前記複数の流体送達チューブ内への流体流を制御するようなサイズでありかつそのように構成された複数の開口部を備える
ことを特徴とするドレッシング。
【請求項２３】
請求項１６に記載のドレッシングにおいて、前記ドレッシングの前記サイズが、前記ドレッシングの外周部の一部を除去することによって低減させることができることを特徴とするドレッシング。
【請求項２４】
請求項１６に記載のドレッシングにおいて、前記滴下マトリックスが、シリコーンを含む複数の流体送達チューブを含むことを特徴とするドレッシング。
【請求項２５】
請求項１６に記載のドレッシングにおいて、前記滴下マトリックスがＰＶＣ管を備えることを特徴とするドレッシング。
【請求項２６】
請求項１６に記載のドレッシングにおいて、前記滴下マトリックスが、約１ｍｍ〜２ｍｍの内径を有する管を備えることを特徴とするドレッシング。
【請求項２７】
請求項２０に記載のドレッシングにおいて、前記ハブが医療グレードシリコーンを含むことを特徴とするドレッシング。
【請求項２８】
請求項２０に記載のドレッシングにおいて、前記ハブが医療グレードＰＶＣを含むことを特徴とするドレッシング。
【請求項２９】
請求項２２に記載のドレッシングにおいて、前記複数の流体送達チューブが、医療グレード接着剤により前記ハブの前記複数の開口部に接続されていることを特徴とするドレッシング。
【請求項３０】
請求項２２に記載のドレッシングにおいて、前記複数の流体送達チューブが、シクロヘキサノールによって前記ハブの前記複数の開口部に接続されていることを特徴とするドレッシング。
【請求項３１】
請求項１６に記載のドレッシングにおいて、前記第１の保護層および前記第２の保護層が、合わせて超音波溶接されていることを特徴とするドレッシング。
【請求項３２】
組織部位を処置するためのドレッシングにおいて、
第１の不透過性層と、
前記第１の不透過性層に接して位置決めされかつ前記第１の不透過性層と実質的に同一の広がりをもつ第２の不透過性層と、
前記第１の不透過性層と前記第２の不透過性層との間に位置決めされた複数の流体除去経路と、
前記第１の不透過性層と前記第２の不透過性層との間に位置決めされた複数の流体送達チャネルと、
を備えることを特徴とするドレッシング。
【請求項３３】
請求項３２に記載のドレッシングにおいて、前記複数の流体除去経路が、前記第１の不透過性層と前記第２の不透過性層との間の中心位置から半径方向外向きに延在するように向けられていることを特徴とするドレッシング。
【請求項３４】
請求項３２に記載のドレッシングにおいて、前記複数の流体送達チャネルの各々が、前記複数の流体除去経路のうちの１つと並んで位置決めされ、前記複数の流体除去経路のうちの１つと実質的に平行に延在していることを特徴とするドレッシング。
【請求項３５】
請求項３２に記載のドレッシングにおいて、前記第１の不透過性層が前記第２の不透過性層に溶接されていることを特徴とするドレッシング。
【請求項３６】
請求項３２に記載のドレッシングにおいて、前記第１の不透過性層および前記第２の不透過性層が超音波溶接部によって取り付けられていることを特徴とするドレッシング。
【請求項３７】
請求項３６に記載のドレッシングにおいて、前記超音波溶接部が、前記第１の不透過性層と前記第２の不透過性層との間の空間において前記複数の流体除去経路および前記複数の流体送達チャネルを実質的に画定するように配置されていることを特徴とするドレッシング。
【請求項３８】
請求項３６に記載のドレッシングにおいて、前記第１の不透過性層が、前記複数の流体除去経路に沿った穿孔をさらに備えることを特徴とするドレッシング。
【請求項３９】
請求項３６に記載のドレッシングにおいて、前記第１の不透過性層が、前記複数の流体送達チャネルに沿った穿孔をさらに備えることを特徴とするドレッシング。
【請求項４０】
請求項３２に記載のドレッシングにおいて、複数の流体送達チューブをさらに備え、前記複数の流体送達チューブの各々が、前記複数の流体送達チャネルのうちの１つの中に位置決めされていることを特徴とするドレッシング。
【請求項４１】
請求項３２に記載のドレッシングにおいて、前記第１の不透過性層および前記第２の不透過性層が穿孔を備えることを特徴とするドレッシング。
【請求項４２】
請求項３２に記載のドレッシングにおいて、前記第１の不透過性層および前記第２の不透過性層が各々ポリウレタンフィルムを含むことを特徴とするドレッシング。
【請求項４３】
請求項４２に記載のドレッシングにおいて、前記第１の不透過性層および前記第２の不透過性層が各々、２５マイクロメートル〜５００マイクロメートルの厚さを有することを特徴とするドレッシング。
【請求項４４】
請求項３２に記載のドレッシングにおいて、前記複数の流体送達チャネルの各々に流体的に接続されかつ前記複数の流体送達チャネルの各々への流体の分配を制御するように構成された流体ハブをさらに備えることを特徴とするドレッシング。
【請求項４５】
請求項４０に記載のドレッシングにおいて、前記複数の流体送達チューブの各々がその長さに沿った穿孔を備えることを特徴とするドレッシング。
【請求項４６】
請求項４０に記載のドレッシングにおいて、前記複数の流体送達チューブの各々が、前記第１の不透過性層および前記第２の不透過性層の前記中心から最も遠い端部に開口部を備えることを特徴とするドレッシング。
【請求項４７】
請求項３２に記載のドレッシングにおいて、
前記複数の流体除去経路が、前記ドレッシングの中心から半径方向外向きに延在し、
前記複数の流体送達チャネルが、前記ドレッシングの前記中心から半径方向外向きに延在し、
前記複数の流体除去経路が、前記複数の流体送達チャネルと交互配置で位置決めされていることを特徴とするドレッシング。
【請求項４８】
請求項４７に記載のドレッシングにおいて、前記複数の流体除去経路および前記複数の流体送達チャネルが、およそ等しい離隔角度で間隔を空けて配置されていることを特徴とするドレッシング。
【請求項４９】
請求項４０に記載のドレッシングにおいて、前記複数の流体送達チューブがより薄型のチューブを含むことを特徴とするドレッシング。
【請求項５０】
請求項４０に記載のドレッシングにおいて、前記複数の流体送達チューブの各々が、その長さに沿った穿孔を備え、前記第１の不透過性層および前記第２の不透過性層の前記中心から最も遠い閉鎖端部を有することを特徴とするドレッシング。
【請求項５１】
請求項３２に記載のドレッシングにおいて、前記複数の流体除去経路および前記複数の流体送達チャネルの各々に流体的に接続された流体ハブをさらに備えることを特徴とするドレッシング。
【請求項５２】
請求項５１に記載のドレッシングにおいて、前記流体ハブが、
第１の一方向弁群であって、前記第１の一方向弁群の各々が、前記複数の流体除去経路のうちの１つの第１の端部に位置決めされている、第１の一方向弁群と、
第２の一方向弁群であって、前記第２の一方向弁群の各々が、前記複数の流体送達チャネルのうちの１つの第１の端部に位置決めされている、第２の一方向弁群と、
をさらに備えることを特徴とするドレッシング。
【請求項５３】
請求項５２に記載のドレッシングにおいて、前記第１の一方向弁群および前記第２の一方向弁群がダックビル弁を含むことを特徴とするドレッシング。
【請求項５４】
請求項５２に記載のドレッシングにおいて、前記第１の一方向弁群および前記第２の一方向弁群のうちの少なくとも一方の群がフラップ弁を含むことを特徴とするドレッシング。
【請求項５５】
請求項４４に記載のドレッシングにおいて、前記流体ハブが、合わせて溶接されるポリウレタンフィルムの２枚のシートを備えることを特徴とするドレッシング。
【請求項５６】
請求項３２に記載のドレッシングにおいて、前記複数の流体除去経路が、前記第１の不透過性層および前記第２の不透過性層のうちの少なくとも一方の折目から形成されていることを特徴とするドレッシング。
【請求項５７】
請求項３２に記載のドレッシングにおいて、前記複数の流体除去経路がエンボス加工チャネルを備えることを特徴とするドレッシング。
【請求項５８】
請求項３２に記載のドレッシングにおいて、前記複数の流体除去経路が複数の流体除去チューブを備えることを特徴とするドレッシング。
【請求項５９】
組織部位を処置するためのドレッシングにおいて、
第１の不透過性層および第２の不透過性層を備えるドレッシング部材と、
前記ドレッシング部材に関連付けられた複数の流体除去経路と、
複数の流体送達経路を備える流体滴下マトリックスであって、前記ドレッシング部材の第１の面に隣接している流体滴下マトリックスと、
を備えることを特徴とするドレッシング。
【請求項６０】
請求項５９に記載のドレッシングにおいて、連続気泡網状ポリウレタンフォームを備えるハブコア部材を有する中心流体ハブをさらに備えることを特徴とするドレッシング。
【請求項６１】
請求項５９に記載のドレッシングにおいて、前記複数の流体送達経路の各々が、前記複数の流体送達経路の各々において開放通路を維持するように適合されたコア部材を備えることを特徴とするドレッシング。
【請求項６２】
請求項６１に記載のドレッシングにおいて、前記コア部材の各々が、連続気泡網状ポリウレタンフォームを含み、２ｍｍ〜１０ｍｍの厚さおよび５ｍｍ〜１０ｍｍの幅を有することを特徴とするドレッシング。
【請求項６３】
請求項５９に記載のドレッシングにおいて、前記複数の流体除去経路および前記複数の流体送達経路が、前記ドレッシング部材の第１の側に隣接して位置決めされ、独立して可動であるように適合されていることを特徴とするドレッシング。
【請求項６４】
請求項６３に記載のドレッシングにおいて、前記流体除去経路の各々が、前記複数の流体送達経路のうちの１つに結合されて経路対を形成していることを特徴とするドレッシング。
【請求項６５】
請求項５９に記載のドレッシングにおいて、前記流体除去経路および前記流体送達経路の各々が前記ドレッシング部材に取外し可能に取り付けられていることを特徴とするドレッシング。
【請求項６６】
組織部位を処置するためのドレッシングにおいて、
第１の不透過性層および第２の不透過性層ならびに前記第１の不透過性層と前記第２の不透過性層との間の空間を備えるドレッシング部材と、
前記ドレッシング部材の前記空間内に位置決めされた複数の流体除去経路と、
前記ドレッシング部材に関連付けられかつ複数の流体送達経路を備える流体滴下マトリックスと、
前記ドレッシング部材の中心部分に隣接して位置決めされた中心マニホールド部材と、
前記ドレッシング部材および前記中心マニホールド部材の周囲に流体シールを形成するように適合されたドレープと、
を備えることを特徴とするドレッシング。
【請求項６７】
請求項６６に記載のドレッシングにおいて、前記中心マニホールド部材がフォームを備えることを特徴とするドレッシング。
【請求項６８】
請求項６７に記載のドレッシングにおいて、前記フォームが連続気泡網状ポリウレタンフォームであることを特徴とするドレッシング。
【請求項６９】
請求項６６に記載のドレッシングにおいて、
前記流体滴下マトリックスが前記ドレッシング部材の第１の側に隣接して位置決めされ、
前記中心マニホールド部材が前記ドレッシング部材の第２の側に隣接して位置決めされていることを特徴とするドレッシング。
【請求項７０】
組織処置システムにおいて、
腹腔内で展開するように構成されかつ複数の流体除去経路を備える処置デバイスと、
前記処置デバイスに関連付けられかつ複数の流体送達経路を備える流体滴下マトリックスと、
前記処置デバイスの中心部分に隣接して位置決めされたマニホールド部材と、
前記処置デバイス、前記流体滴下マトリックスおよび前記マニホールド部材の周囲に流体シールを形成するように適合されたドレープと、
前記処置デバイスに流体的に接続された陰圧源と、
前記流体滴下マトリックスに流体的に接続された流体源と、
を備えることを特徴とする組織処置システム。
【請求項７１】
組織部位を処置するためのドレッシングにおいて、
保護層と、
前記組織部位と流体を交換するように構成された流体分配ハブと、
複数の処置チューブであって、前記複数の処置チューブの各々が、
前記流体分配ハブから前記組織部位に流体を送達するように適合された中心導管と、
前記流体分配ハブに流体を移送するように適合された周辺チャネルと、
を備える、複数の処置チューブと、
を備えることを特徴とするドレッシング。
【請求項７２】
請求項７１に記載のドレッシングにおいて、前記周辺チャネルが、前記中心導管の外径を包囲するポリウレタンフィルムを備えることを特徴とするドレッシング。
【請求項７３】
請求項７１に記載のドレッシングにおいて、前記中心導管が内径内にポリウレタンフィルムを備えることを特徴とするドレッシング。
【請求項７４】
組織部位を処置するためのシステムにおいて、
閉塞層と、
前記閉塞層の第１の面に隣接して位置決めされた流体除去マニホールドと、
前記閉塞層の第２の面に隣接して位置決めされた流体分配容器と、
を備えることを特徴とするシステム。
【請求項７５】
請求項７４に記載のシステムにおいて、
前記流体除去マニホールドに流体的に接続されるように構成された陰圧源と、
前記流体分配容器に流体的に接続されるように構成された流体源と、
をさらに備えることを特徴とするシステム。
【請求項７６】
請求項７４に記載のシステムにおいて、導管をさらに備え、前記導管が、前記流体除去マニホールドと流体連通している第１の流体チャネルと、前記流体分配容器と流体連通している第２の流体チャネルとを有することを特徴とするシステム。
【請求項７７】
請求項７４に記載のシステムにおいて、
前記流体分配容器および前記閉塞層を通って延在しかつ前記除去マニホールドと流体連通している第１の導管と、
前記流体分配容器と流体連通している第２の導管と、
をさらに備えることを特徴とするシステム。
【請求項７８】
請求項７４に記載のシステムにおいて、前記閉塞層が、前記閉塞層の前記第１の面に形成されている複数の流体除去経路を備えることを特徴とするシステム。
【請求項７９】
請求項７４に記載のシステムにおいて、前記閉塞層が、前記閉塞層の前記第２の面に形成されている複数の流体送達経路を備えることを特徴とするシステム。
【請求項８０】
請求項７９に記載のシステムにおいて、前記複数の流体送達経路が、前記閉塞層の前記第２の面にわたって半径方向に延在していることを特徴とするシステム。
【請求項８１】
請求項７８に記載のシステムにおいて、前記複数の流体除去経路が、前記閉塞層の前記第１の面にわたって半径方向に延在していることを特徴とするシステム。
【請求項８２】
請求項７４に記載のシステムにおいて、前記流体分配容器が、外周部で溶接されて内部容積を提供するポリウレタンフィルムを備えることを特徴とするシステム。
【請求項８３】
請求項７４に記載のシステムにおいて、前記流体分配容器が複数の出口を備えることを特徴とするシステム。
【請求項８４】
請求項８３に記載のシステムにおいて、前記出口が、前記閉塞層の前記第２の面に隣接して位置決めされるように適合されている前記流体分配容器の第１の面に位置決めされていることを特徴とするシステム。
【請求項８５】
請求項８３に記載のシステムにおいて、前記出口が、前記流体分配容器の内部容積内で上昇した流体圧力を発生させるようなサイズであることを特徴とするシステム。
【請求項８６】
請求項７４に記載のシステムにおいて、前記流体分配容器が、前記流体分配容器の内部容積内に溶接部によって形成された複数のコンパートメントを備えることを特徴とするシステム。
【請求項８７】
請求項８３に記載のシステムにおいて、前記複数の出口が、直径が約０．２ｍｍ〜１．０ｍｍであることを特徴とするシステム。
【請求項８８】
請求項８５に記載のシステムにおいて、前記複数の出口が、開放する前に所定の外向きの流体圧力に耐えるように構成されていることを特徴とするシステム。
【請求項８９】
請求項７４に記載のシステムにおいて、前記閉塞層がポリウレタンフィルムを備えることを特徴とするシステム。
【請求項９０】
請求項７４に記載のシステムにおいて、前記閉塞層が、前記閉塞層の前記第１の面に複数の流体除去経路を形成し、前記閉塞層の前記第２の面に複数の流体送達経路を形成する、複数のひだを備えることを特徴とするシステム。
【請求項９１】
請求項７４に記載のシステムにおいて、前記流体除去マニホールドが複数の溶接されたポリウレタンフィルムを備えることを特徴とするシステム。
【請求項９２】
請求項７４に記載のシステムにおいて、前記流体除去マニホールドと流体連通している流体収集リザーバをさらに備えることを特徴とするシステム。
【請求項９３】
請求項７４に記載のシステムにおいて、前記流体除去マニホールドが、複数の開窓を有する第１の面を備えることを特徴とするシステム。
【請求項９４】
請求項９３に記載のシステムにおいて、前記複数の開窓のサイズが変化することを特徴とするシステム。
【請求項９５】
請求項７４に記載のシステムにおいて、前記流体除去マニホールドが、４ｍｍ〜８ｍｍの平均直径を備えた細孔を有する連続気泡フォームを備えることを特徴とするシステム。
【請求項９６】
組織部位を処置するためのデバイスにおいて、
第１の側および第２の側を有するフィルム層と、
前記フィルム層の前記第１の側に溶接された第２のフィルム層によって形成された流体収集チャンバと、
前記フィルム層の前記第２の側に外周部で溶接されかつ導管への流体接続のためのインタフェースを備える第３のフィルム層によって形成された流体分配チャンバと、
前記流体収集チャンバから、前記フィルム層のアパーチャを通って、かつ前記流体分配チャンバを通って前記インタフェースまで延在する導管と、
を備えることを特徴とするデバイス。
【請求項９７】
腹部内の組織部位を処置するためのシステムにおいて、
前記組織部位に陰圧を伝達するように構成された複数の流体経路を備えるドレッシング部材と、
前記ドレッシング部材の第１の面に隣接して位置決めされるように適合され、かつ前記組織部位に流体を送達するための複数の開口部を備える第１の側を有する流体送達容器と、
前記複数の流体経路の第２の面の上に配置されるように適合されたドレープと、
を備えることを特徴とするシステム。
【請求項９８】
請求項９７に記載のシステムにおいて、前記複数の流体経路と流体連通するように構成された陰圧源をさらに備えることを特徴とするシステム。
【請求項９９】
請求項９７に記載のシステムにおいて、前記流体送達容器に処置流体を提供するように構成された流体源をさらに備えることを特徴とするシステム。
【請求項１００】
請求項９７に記載のシステムにおいて、前記開口部が０．２ｍｍ〜１．５ｍｍの直径を有することを特徴とするシステム。
【請求項１０１】
請求項９７に記載のシステムにおいて、前記流体送達容器が、２５マイクロメートル〜２００マイクロメートルの厚さを有するポリウレタンフィルムから形成された本体を備えることを特徴とするシステム。
【請求項１０２】
請求項９７に記載のシステムにおいて、前記流体送達容器が、
前記複数の開口部を備える第１のフィルム層と、
前記第１のフィルム層に隣接して位置決めされた第２のフィルム層と、
を備え、
前記第１のフィルム層の外周部が前記第２のフィルム層の外周部に溶接されて内部容積を形成することを特徴とするシステム。
【請求項１０３】
請求項１０２に記載のシステムにおいて、前記第１のフィルム層の一部が前記第２のフィルム層の一部に溶接されて、前記内部容積の内側に流体経路網を形成することを特徴とするシステム。
【請求項１０４】
請求項９７に記載のシステムにおいて、前記流体送達容器が第１のフィルム層から形成され、前記第１のフィルム層の外周部が、前記ドレッシング部材の前記第１の側に固定されていることを特徴とするシステム。
【請求項１０５】
請求項９７に記載のシステムにおいて、前記ドレッシング部材を通って延在し、かつ前記流体送達容器を流体源と流体的に接続するように適合された流体チャネルをさらに備えることを特徴とするシステム。
【請求項１０６】
請求項１０５に記載のシステムにおいて、前記流体チャネルが前記ドレッシング部材に開口部を備え、前記開口部の外周部が、前記ドレッシング部材の封止された縁部によって形成されていることを特徴とするシステム。
【請求項１０７】
請求項９７に記載のシステムにおいて、前記複数の流体経路が開窓を備えることを特徴とするシステム。
【請求項１０８】
請求項９７に記載のシステムにおいて、前記複数の流体経路の各々が、連続気泡フォームを備えるマニホールド部材を備えることを特徴とするシステム。
【請求項１０９】
請求項１０８に記載のシステムにおいて、前記複数の流体経路の各々が、不織布を含むマニホールド部材を備えることを特徴とするシステム。
【請求項１１０】
請求項９７に記載のシステムにおいて、前記流体送達容器が、
中心チャンバと、
前記中心チャンバに流体的に接続された第１の端部と開放部分を有する第２の端部とを備える複数の半径方向チャネルと、
を備えることを特徴とするシステム。
【請求項１１１】
請求項１１０に記載のシステムにおいて、陰圧状態下で前記中心チャンバの構造を維持するように適合された内部マニホールドをさらに備えることを特徴とするシステム。
【請求項１１２】
請求項１１１に記載のシステムにおいて、前記内部マニホールドがポリウレタンフォームを備えることを特徴とするシステム。
【請求項１１３】
請求項１１１に記載のシステムにおいて、前記内部マニホールドがフィルムを備えることを特徴とするシステム。
【請求項１１４】
請求項１１１に記載のシステムにおいて、前記内部マニホールドが折畳み式であることを特徴とするシステム。
【請求項１１５】
請求項９７に記載のシステムにおいて、前記流体送達容器が第１のフィルム層および第２のフィルム層から形成され、前記第１のフィルム層の外周部が前記第２のフィルム層の外周部に封止されていることを特徴とするシステム。
【請求項１１６】
請求項１０２に記載のシステムにおいて、
前記第１のフィルム層が閉塞フィルムを含み、
前記第２のフィルム層が穿孔を備える
ことを特徴とするシステム。